(57)【要約】【課題】  受信品質の状況に応じてリアルタイムに伝送信号に切り替えることが可能な伝送信号選択装置、伝送システム、伝送信号選択方法及びプログラムを提供する。【解決手段】  伝送信号選択装置１は、伝送路１３０で伝送された第１のＴＳ信号からＰＣＲパケットを抽出するＰＣＲ抽出部１１１と、ＰＣＲ区間ごとに第１のＴＳ信号からパケット誤りとパケット欠落状況に関連する第１の品質情報を検出する品質情報検出部１１２と、第１のＴＳ信号がＩＰ伝送路用に変換され伝送路１４０で伝送された第２のＴＳ信号からＰＣＲパケットを抽出するＰＣＲ抽出部１２１と、ＰＣＲ区間ごとに第２のＴＳ信号からパケット誤りとパケット欠落状況に関連する第２の品質情報を検出する品質情報検出部１２２と、第１の品質情報と対応する第２の品質情報に基づいて第１のＴＳ信号と対応する第２のＴＳ信号のいずれかを選択して出力する選択出力部１３とを有する。【選択図】      図１
2020170889.tif 000002
【特許請求の範囲】
【請求項１】
第１の伝送路で伝送された第１のＴＳ信号から第１のＰＣＲパケットを抽出する第１のＰＣＲ抽出部と、
前記第１のＰＣＲパケット間の区間ごとに前記第１のＴＳ信号からパケット誤りとパケット欠落状況に関連する第１の品質情報を検出する第１の品質情報検出部と、
前記第１のＴＳ信号がＩＰ伝送路用に変換され第２の伝送路で伝送された第２のＴＳ信号から第２のＰＣＲパケットを抽出する第２のＰＣＲ抽出部と、
前記第２のＰＣＲパケット間の区間ごとに前記第２のＴＳ信号からパケット誤りとパケット欠落状況に関連する第２の品質情報を検出する第２の品質情報検出部と、
前記第１の品質情報と対応する前記第２の品質情報に基づいて前記第１のＴＳ信号と対応する前記第２のＴＳ信号のいずれかを選択して出力する選択出力部と、
を有する伝送信号選択装置。
【請求項２】
前記第１の品質情報検出部は、前記第１のＰＣＲパケット間の区間ごとに前記第１のＴＳ信号から前記第１の品質情報を１つ以上、検出し、
前記第２の品質情報検出部は、前記第２のＰＣＲパケット間の区間ごとに前記第２のＴＳ信号から前記第２の品質情報を１つ以上、検出し、
前記選択出力部は、１つ以上の前記第１の品質情報及び１つ以上の前記第２の品質情報に基づいて前記第１のＴＳ信号と対応する前記第２のＴＳ信号のいずれかを選択して出力する、
請求項１に記載の伝送信号選択装置。
【請求項３】
前記第１の品質情報検出部は、前記第１のＰＣＲパケット間の区間ごとに、前記第１のＴＳパケットのヘッダに含まれるＴＥＩを検出する第１のＴＥＩ確認部を有し、
前記第２の品質情報検出部は、前記第２のＰＣＲパケット間の区間ごとに、前記第２のＴＳパケットのヘッダに含まれるＴＥＩを検出する第２のＴＥＩ確認部を有する、
請求項１又は２に記載の伝送信号選択装置。
【請求項４】
前記第１の品質情報検出部は、前記第１のＰＣＲパケット間の区間ごとに、前記第１のＰＣＲパケット間の区間のＰＣＲパケット以外のＣＣの連続性を検出する第３のＣＣ確認部を有し、
前記第２の品質情報検出部は、前記第２のＰＣＲパケット間の区間ごとに、前記第２のＰＣＲパケット間の区間のＰＣＲパケット以外のＣＣの連続性を検出する第４のＣＣ確認部を有する、
請求項１から３のいずれかに記載の伝送信号選択装置。
【請求項５】
前記第１の品質情報検出部は、前記第１のＰＣＲパケット間の区間ごとに前記第１のＴＳ信号に含まれるパケット数をカウントする第１のＰＣＲ間隔検出部を有し、
前記第１の品質情報検出部は、前記第１のＰＣＲパケット間の区間ごとに前記第１のＴＳ信号に含まれるパケット数をカウントする第２のＰＣＲ間隔検出部を有する、
請求項１から４のいずれかに記載の伝送信号選択装置。
【請求項６】
前記第１のＰＣＲ間隔検出部は、前記第１のＰＣＲパケットのＰＣＲ値増加で前記第１のＰＣＲパケットの連続性を検出し、
前記第２のＰＣＲ間隔検出部は、前記第２のＰＣＲパケットのＰＣＲ値増加で前記第２のＰＣＲパケットの連続性を検出する、
請求項５に記載の伝送信号選択装置。
【請求項７】
請求項１から６のいずれかに記載の伝送信号選択装置と、
前記第１のＴＳ信号を前記第１の伝送路に出力して伝送信号選択装置に伝送するとともに、前記第１のＴＳ信号をＩＰ伝送路用に変換した前記第２のＴＳ信号を前記第２の伝送路に出力して前記伝送信号選択装置に伝送する送信装置と、
前記伝送信号選択装置が選択して出力したＴＳ信号を受信する受信装置と、
を有する伝送システム。
【請求項８】
第１の伝送路で伝送された第１のＴＳ信号から第１のＰＣＲパケットを抽出し、
前記第１のＰＣＲパケット間の区間ごとに前記第１のＴＳ信号からパケット誤りとパケット欠落状況に関連する第１の品質情報を検出し、
前記第１のＴＳ信号がＩＰ伝送路用に変換され第２の伝送路で伝送された第２のＴＳ信号から第２のＰＣＲパケットを抽出し、
前記第２のＰＣＲパケット間の区間ごとに前記第２のＴＳ信号から検出したパケット誤りとパケット欠落状況に関連する第２の品質情報を検出し、
前記第１の品質情報と対応する前記第２の品質情報に基づいて前記第１のＴＳ信号と対応する前記第２のＴＳ信号のいずれかを選択して出力する、
伝送信号選択方法。
【請求項９】
コンピュータに、
第１の伝送路で伝送された第１のＴＳ信号から第１のＰＣＲパケットを抽出する処理と、
前記第１のＰＣＲパケット間の区間ごとに前記第１のＴＳ信号からパケット誤りとパケット欠落状況に関連する第１の品質情報を検出する処理と、
前記第１のＴＳ信号がＩＰ伝送路用に変換され第２の伝送路で伝送された第２のＴＳ信号から第２のＰＣＲパケットを抽出する処理と、
前記第２のＰＣＲパケット間の区間ごとに前記第２のＴＳ信号からパケット誤りとパケット欠落状況に関連する第２の品質情報を検出する処理と、
前記第１の品質情報と対応する前記第２の品質情報に基づいて前記第１のＴＳ信号と対応する前記第２のＴＳ信号のいずれかを選択して出力する処理と、
を実行させる、プログラム。
【発明の詳細な説明】
【技術分野】
【０００１】
本発明は、伝送信号選択装置、伝送システム、伝送信号選択方法及びプログラムに関し、特に、デジタル放送のコンテンツを伝送する伝送信号を選択する伝送信号選択装置、伝送システム、伝送信号選択方法及びプログラムに関する。
【背景技術】
【０００２】
テレビ局外の競技場などで撮影されたデジタル放送の放送コンテンツは、例えば衛星経由でテレビ局に伝送されている。しかしながら衛星経由での伝送では、伝送経路上に雨天の地域があると降雨減衰による伝送回線のデータエラーが発生し、放送が途切れる恐れがある。途切れない放送の実現のため、近年では、ＩＰ（Ｉｎｔｅｒｎｅｔ  Ｐｒｏｔｏｃｏｌ）ネットワーク経由でもデジタル放送のコンテンツが伝送され、放送と通信の相互補完が実現されつつある。
【０００３】
例えば特許文献１には、コンテンツ送信装置が伝送データとその誤り訂正用第一冗長データを含む放送データを、放送電波送信所を介して受信端末へ放送すると共に、誤り訂正用第二冗長データを含む通信データを、通信ネットワークおよび無線基地局を介して受信端末へ伝送するコンテンツ配信システムが開示されている。特許文献１の放送データ生成部は、伝送データおよび第一冗長データにパケット同期用ＩＤ（ＩＤｅｎｔｉｆｉｃａｔｉｏｎ）情報を含むヘッダを付加して、これを放送データとし、通信データ生成部は、第二冗長データに、放送データ生成部と同様のパケット同期用ＩＤ情報を含むヘッダを付加して、これを通信データとする。
【０００４】
特許文献１の受信端末では、受信品質の測定値が基準値以下になると、放送データと通信データとがデータ合成部へ入力され、データ合成部は、各データのヘッダに含まれるパケット同期用ＩＤ情報を利用して、同時刻の伝送データ、第一冗長データおよび第二冗長データを合成したデータを、誤り訂正符号復号化部へ入力する。誤り訂正符号復号化部が、第一および第二冗長データを利用して伝送データの誤り訂正を行う。
【０００５】
また特許文献２には、放送によって放送コンテンツが送信され、通信によって通信コンテンツが送信される放送通信連携サービスが開示されている。特許文献２の受信装置は、放送によって送信される放送コンテンツを受信し、通信によって送信される通信コンテンツを、受信される放送コンテンツに同期させて再生するための情報であって、通信コンテンツの取得に関連する情報である取得情報を、放送を通じて受信し、受信された取得情報に基づいて通信コンテンツを取得する。また特許文献２の受信装置は、制御部において、復号後の放送コンテンツのＰＴＳ（Ｐｒｅｓｅｎｔａｔｉｏｎ  Ｔｉｍｅ  Ｓｔａｍｐ）と通信コンテンツのＰＴＳとを比較し、放送コンテンツに対する通信コンテンツの遅延時間を算出する。そして受信装置は、制御部において、遅延時間を基に放送コンテンツと通信コンテンツとの出力タイミングを合わせるための制御情報を放送系バッファ内の同期用バッファへ出力する。放送系バッファ内の同期用バッファは、制御情報に従って遅延時間に基づいて放送系バッファ出力を遅延させ、放送コンテンツの提示を通常提示から遅延提示に切り換えて通信コンテンツの提示を開始する。
【先行技術文献】
【特許文献】
【０００６】
【特許文献１】特開２０１０−１３６０００号公報
【特許文献２】特開２０１５−０５０７６８号公報
【発明の概要】
【発明が解決しようとする課題】
【０００７】
上述のように特許文献１には、伝送データと第一冗長データ、および、第二冗長データに、それぞれパケット同期用ＩＤ情報を含むヘッダが付加される。受信品質の測定値が基準値以下になると、各データのヘッダに含まれるパケット同期用ＩＤ情報を利用して、同時刻の伝送データ、第一冗長データおよび第二冗長データが合成されて誤り訂正符号復号化部へ入力される。しかしながら特許文献１には、受信品質の判定から、どのようなタイミングで、誤り訂正符号復号化部へ入力されるデータを切り替えることができるかは開示されていない。特許文献１には、受信品質の状況に応じてリアルタイムに誤り訂正符号復号化部へ入力されるデータを切り替える構成は開示されていない。
【０００８】
また特許文献２には、制御部が、遅延時間を基に、放送コンテンツと通信コンテンツとの出力タイミングを合わせるための制御情報を出力して放送系バッファ出力を遅延させ、放送コンテンツの提示を通常提示から遅延提示に切り換え、通信コンテンツの提示を開始する。しかしながら特許文献２には、受信品質の判定から、どのようなタイミングで、放送コンテンツ及び通信コンテンツの提示を切り替えることができるかは開示されていない。特許文献２には、受信品質の状況に応じてリアルタイムに放送コンテンツ及び通信コンテンツの提示を切り替える構成は開示されていない。
【０００９】
本発明は、受信品質の状況に応じてリアルタイムに伝送信号を切り替えることが可能な伝送信号選択装置、伝送システム、伝送信号選択方法及びプログラムを提供することを主な目的とする。
【課題を解決するための手段】
【００１０】
本発明の１側面の伝送信号選択装置は、第１の伝送路で伝送された第１のＴＳ（Ｔｒａｎｓｐｏｒｔ  Ｓｔｒｅａｍ）信号から第１のＰＣＲ（Ｐｒｏｇｒａｍ  Ｃｌｏｃｋ  Ｒｅｆｅｒｅｎｃｅ）パケットを抽出する第１のＰＣＲ抽出部と、前記第１のＰＣＲパケット間の区間ごとに前記第１のＴＳ信号からパケット誤りとパケット欠落状況に関連する第１の品質情報を検出する第１の品質情報検出部と、第１のＴＳ信号がＩＰ（Ｉｎｔｅｒｎｅｔ  Ｐｒｏｔｏｃｏｌ）伝送路用に変換され第２の伝送路で伝送された第２のＴＳ信号から第２のＰＣＲパケットを抽出する第２のＰＣＲ抽出部と、前記第２のＰＣＲパケット間の区間ごとに前記第２のＴＳ信号からパケット誤りとパケット欠落状況に関連する第２の品質情報を検出する第２の品質情報検出部と、前記第１の品質情報と対応する前記第２の品質情報に基づいて前記第１のＴＳ信号と対応する前記第２のＴＳ信号のいずれかを選択して出力する選択出力部と、を有する。
【００１１】
本発明の１側面の伝送システムは、上記の伝送信号選択装置と、前記第１のＴＳ信号を前記第１の伝送路に出力して伝送信号選択装置に伝送するとともに、前記第１のＴＳ信号をＩＰ伝送路用に変換した前記第２のＴＳ信号を前記第２の伝送路に出力して前記伝送信号選択装置に伝送する送信装置と、前記伝送信号選択装置が選択して出力したＴＳ信号を受信する受信装置と、を有する。
【００１２】
本発明の１側面の伝送信号選択方法は、第１の伝送路で伝送された第１のＴＳ信号から第１のＰＣＲパケットを抽出し、前記第１のＰＣＲパケット間の区間ごとに前記第１のＴＳ信号からパケット誤りとパケット欠落状況に関連する第１の品質情報を検出し、第１のＴＳ信号がＩＰ伝送路用に変換され第２の伝送路で伝送された第２のＴＳ信号から第２のＰＣＲパケットを抽出し、前記第２のＰＣＲパケット間の区間ごとに前記第２のＴＳ信号からパケット誤りとパケット欠落状況に関連する第２の品質情報を検出し、前記第１の品質情報と対応する前記第２の品質情報に基づいて前記第１のＴＳ信号と対応する前記第２のＴＳ信号のいずれかを選択して出力する。
【００１３】
本発明の１側面のプログラムは、コンピュータに、第１の伝送路で伝送された第１のＴＳ信号から第１のＰＣＲパケットを抽出する処理と、前記第１のＰＣＲパケット間の区間ごとに前記第１のＴＳ信号からパケット誤りとパケット欠落状況に関連する第１の品質情報を検出する処理と、第１のＴＳ信号がＩＰ伝送路用に変換され第２の伝送路で伝送された第２のＴＳ信号から第２のＰＣＲパケットを抽出する処理と、前記第２のＰＣＲパケット間の区間ごとに前記第２のＴＳ信号からパケット誤りとパケット欠落状況に関連する第２の品質情報を検出する処理と、前記第１の品質情報と対応する前記第２の品質情報に基づいて前記第１のＴＳ信号と対応する前記第２のＴＳ信号のいずれかを選択して出力する処理と、を実行させる。
【発明の効果】
【００１４】
本発明の上記側面によれば、受信品質の状況に応じてリアルタイムに伝送信号を切り替えることが可能な伝送信号選択装置、伝送システム、伝送信号選択方法及びプログラムを提供することができる。
【図面の簡単な説明】
【００１５】
【図１】図１は、第１の実施形態の伝送信号選択装置の構成を示すブロック図である。
【図２】図２は、各伝送路から入力されるＴＳ信号および選択出力部の動作の一例を示す図である。
【図３】図３は、ＴＳ信号に含まれるＴＳパケットの構成を示す図である。
【図４】図４は、図１の品質情報検出部が備える品質判定テーブルの一例を示す図である。
【図５】図５は、第１の実施形態の伝送信号選択方法を示すフローチャートである。
【図６】図６は、第２の実施形態の伝送信号選択装置の構成を示すブロック図である。
【図７】図７は、第２の実施形態の伝送信号選択方法を示すフローチャートである。
【図８】図８は、第３の実施形態の構成を示すブロック図である。
【図９】図９は、第３の実施形態の伝送信号選択方法を示すフローチャートである。
【図１０】図１０は、各実施形態の機能を実現するコンピュータの構成を示すブロック図である。
【発明を実施するための形態】
【００１６】
次に各実施形態について図面を参照して説明する。図１は、第１の実施形態の伝送システムの構成を示すブロック図である。伝送システム１０１は、図１に示すように、送信装置１１０から受信装置１２０へＴＳ（Ｔｒａｎｓｐｏｒｔ  Ｓｔｒｅａｍ）信号を伝送する伝送路が、ＩＰ（Ｉｎｔｅｒｎｅｔ  Ｐｒｏｔｏｃｏｌ）ネットワークを用いて冗長化された構成を前提としている。送信装置１１０は、ＴＳ信号（第１のＴＳ信号）を伝送路１３０に出力して伝送信号選択装置１に伝送するとともに、第１のＴＳ信号をＩＰ伝送路用に変換したＴＳ信号（第２のＴＳ信号）を伝送路１４０に出力して伝送信号選択装置１に伝送する。また受信装置１２０は、伝送信号選択装置１が選択して出力したＴＳ信号を受信する。伝送路１３０は、ＴＳ信号をＩＰ伝送路用に変換することなく伝送する伝送路であり、例えば、通信衛星経由の伝送路である。伝送路１４０は、ＩＰ伝送路用に変換されたＴＳ信号を伝送する伝送路であり、例えばＩＰネットワークである。なおこれらの点では、後述の第２の実施形態の伝送システム１０２及び第３の実施形態の伝送システム１０３は、第１の実施形態の伝送システム１０１と同様な構成となっている。
【００１７】
本実施形態の伝送信号選択装置１においては、送信装置１１０から伝送路１３０で伝送されたＴＳ信号は、ＰＣＲ抽出部（第１のＰＣＲ抽出部）１１１に入力される。また送信装置１１０から伝送路１４０で伝送されたＩＰ伝送路用に変換されたＴＳ信号はＰＣＲ抽出部（第２のＰＣＲ抽出部）１２１に入力される。
【００１８】
図２は、各伝送路から入力されるＴＳ信号および選択出力部の動作の一例を示す図である。図２に示すように伝送路１３０から入力されるＴＳ信号は、ＭＰＥＧ−２  ＴＳ標準規格において規定されている、送信側と受信側で同期をとるための同期情報であるＰＣＲ（Ｐｒｏｇｒａｍ  Ｃｌｏｃｋ  Ｒｅｆｅｒｅｎｃｅ）情報を含むＰＣＲパケット（第１のＰＣＲパケット）２０１、２０６、２１１、２１６を含んでいる。またＴＳ信号は、映像信号を含むパケットである映像パケット２０２、２０３、２０５、２０７、２０８、２１０、２１２、２１３、２１５を含んでいる。またＴＳ信号は、その他、音声情報、字幕情報、及び制御情報などを含むパケット２０４、２０９、２１４を含んでいる。
【００１９】
同様に、伝送路１４０から入力されるＴＳ信号は、ＰＣＲパケット（第２のＰＣＲパケット）２２１、２２６、２３１、２３６を含んでいる。またＴＳ信号は、映像信号を含む映像パケット２２２、２２３、２２５、２２７、２２８、２３０、２３２、２３３、２３５を含んでいる。またＴＳ信号は、その他、音声情報、字幕情報、及び制御情報などを含むパケット２２４、２２９、２３４を含んでいる。
【００２０】
図３は、ＴＳ信号に含まれるＴＳパケットの構成を示す図である。図３に示すようにＴＳ信号に含まれるＴＳパケット２００は、ペイロード２００１と、ヘッダ２００２から構成される。ヘッダ２００２は、ペイロード２００１に格納されているデータの種類を識別するためのパケットＩＤ２００３を含む。またヘッダ２００２は、エラー情報２００４を含む。エラー情報２００４とは、例えば、ＭＰＥＧ−２  ＴＳ標準規格において規定されているＴＥＩ（Ｔｒｎａｓｐｏｒｔ  Ｅｒｒｏｒ  Ｉｎｄｉｃａｔｏｒ）やＣＣ（Ｃｏｎｔｉｎｕｉｔｙ  Ｃｏｕｎｔｅｒ）である。
【００２１】
ＰＣＲ抽出部１１１は、伝送路１３０で伝送され入力されたＴＳパケット２００のヘッダ２００２に含まれるパケットＩＤ２００３を参照して、ＰＣＲパケット２０１、２０６、２１１、２１６を抽出する。ＰＣＲ抽出部１２１は、同様に、伝送路１４０で伝送され入力されたＴＳパケット２００のヘッダ２００２に含まれるパケットＩＤを参照して、ＰＣＲパケット２２１、２２６、２３１、２３６を抽出する。なお連続する２つのＰＣＲパケットの間の区間、すなわち図２の例では、ＰＣＲパケット２０１とＰＣＲパケット２０６の間の区間、ＰＣＲパケット２０６とＰＣＲパケット２１１の間の区間、及び、ＰＣＲパケット２１１とＰＣＲパケット２１６の間の区間は、以下の説明ではＰＣＲ区間ともいう。
【００２２】
品質情報検出部１１２は、ＰＣＲ区間ごとに、伝送路１３０で伝送され入力されたパケットからパケット誤りとパケット欠落状況に関連する品質情報（第１の品質情報）を検出する。品質情報検出部１１２、１２２は、例えば、各ＰＣＲ区間に含まれるＴＳパケット２００のヘッダ２００２に含まれるＴＥＩを品質情報として検出してもよい。また品質情報検出部１１２、１２２は、各ＰＣＲ区間に含まれるＴＳパケット２００のヘッダ２００２に含まれるＣＣの連続性を品質情報として検出してもよい。
【００２３】
品質情報検出部１１２、１２２は、それぞれパケット誤りとパケット欠落状況に関連する品質情報を１つ以上、検出して選択出力部１３に出力してもよい。この場合、選択出力部１３は、品質情報検出部１１２、１２２によってそれぞれ検出された１つ以上の品質情報に基づいて伝送路１３０、１４０のそれぞれの総合的な品質情報を決定するための品質判定テーブルを備えてもよい。図４は、図１の品質情報検出部が備える品質判定テーブルの一例を示す図である。図４に示すように、品質判定テーブルは、入力されるパケットから検出されたパケット誤りとパケット欠落状況に関連する品質情報Ａ、品質情報Ｂの検出結果の組合せに、総合的な品質情報を対応させたテーブルである。例えば、品質情報Ａを、各ＰＣＲ区間に含まれるＴＳパケット２００のヘッダ２００２に含まれるＴＥＩから検出したパケット誤りの情報とし、品質情報Ｂを、各ＰＣＲ区間に含まれるＴＳパケット２００のヘッダ２００２に含まれるＣＣの連続性の情報とし、総合的な品質情報が高い数値ほどパケット誤りとパケット欠落が少ないとする。そして図４に示すように、ＴＥＩとＣＣの連続性がともＮＧの場合は品質情報の数値が最低であり、その次に品質情報が低いのは、ＴＥＩがＮＧでＣＣの連続性がＯＫの場合とし、ＴＥＩがＯＫでＣＣの連続性がＮＧの場合は、品質情報が高くなり、ＴＥＩとＣＣの連続性がともＯＫの場合は品質情報の数値が最高となるとしてもよい。品質情報ＡがＯＫの方がＮＧより品質情報を高い数値とし、品質情報ＢがＯＫの方がＮＧより品質情報を高い数値とする。なお図４は一例であり、品質情報は他の情報でもよく、例えば、ＰＣＲ区間のパケットにおいてＰＣＲパケット以外のパケットについてＣＣの連続性を検出してもよい。また品質情報の数値も図４の例には限られない。このように選択出力部１３は、第１のＰＣＲ区間ごとに、入力されるパケットから検出されたパケット誤りとパケット欠落状況に関連する品質情報Ａ、品質情報Ｂから、図４に示す品質判定テーブルを参照して伝送路１３０に関するパケット誤りとパケット欠落状況を示す総合的な品質情報を決定してもよい。
【００２４】
同様に、選択出力部１３は、第２のＰＣＲ区間ごと、伝送路１４０で伝送され入力されるパケットから検出されたパケット誤りとパケット欠落状況に関連する品質情報Ａ、品質情報Ｂから、図４に示す品質判定テーブルを参照して伝送路１４０に関するパケット誤りとパケット欠落状況を示す総合的な品質情報を決定してもよい。
【００２５】
送信装置１１０から受信装置１２０へＴＳ信号を伝送する伝送路がＩＰネットワークを用いて冗長化された構成であることを前提としているため、伝送信号選択装置１に受信される時刻は異なるが、第１の伝送路１３０で伝送されるパケットと第２の伝送路１４０で伝送されるパケットとは１対１対応させることができる。選択出力部１３は、対応するＰＣＲ区間の第１の品質情報及び第２の品質情報が入力されると、ＰＣＲ区間ごとに、第１の品質情報及び対応する第２の品質情報に基づいて第１のＴＳ信号と対応する第２のＴＳ信号のいずれかパケット誤りとパケット欠落が少ない方を選択する。そして選択出力部１３は、選択したＴＳ信号を受信装置１２０に出力する。
【００２６】
なお図１に示す第１の実施形態及び後述の各実施形態の伝送信号選択装置の各構成要素は、機能単位のブロックを示している。各実施形態の各構成要素の一部又は全部は、例えば図１０に示すようなコンピュータ５０とプログラムとの任意の組み合わせにより実現されてもよい。コンピュータ５０は、一例として、以下のような構成を含む。
【００２７】
・ＣＰＵ（Ｃｅｎｔｒａｌ  Ｐｒｏｃｅｓｓｉｎｇ  Ｕｎｉｔ）５１
・ＲＯＭ（Ｒｅａｄ  Ｏｎｌｙ  Ｍｅｍｏｒｙ）５２
・ＲＡＭ（Ｒａｎｄｏｍ  Ａｃｃｅｓｓ  Ｍｅｍｏｒｙ）５３
・ＲＡＭ５３にロードされるプログラム５４
・プログラム５４を格納する記憶装置５５
・記録媒体５６の読み書きを行うドライブ装置５７
・通信ネットワーク５９と接続する通信インタフェース５８
・データの入出力を行う入出力インタフェース６０
・各構成要素を接続するバス６１
各実施形態の各構成要素は、これらの機能を実現するプログラム５４をＣＰＵ５１が取得して実行することで実現される。例えば、図１の伝送信号選択装置１の例では、ＰＣＲ抽出部１１１、１２１は、プログラム５４を取得したＣＰＵ５１が、プログラム５４に基づき、伝送路１３０、１４０で伝送された第１、第２のＴＳ信号から第１、第２のＰＣＲパケットを抽出することで機能が実現されてもよい。
【００２８】
また品質情報検出部１１２、１２２は、プログラム５４を取得したＣＰＵ５１が、プログラム５４に基づき、第１、第２のＰＣＲパケット間の区間ごとに、第１、第２のＴＳ信号からパケット誤りとパケット欠落状況に関連する第１、第２の品質情報を検出することで機能が実現されてもよい。
【００２９】
また選択出力部１３は、プログラム５４を取得したＣＰＵ５１が、プログラム５４に基づき、ＰＣＲ区間ごとに、第１の品質情報と対応する第２の品質情報に基づいて第１のＴＳ信号と対応する第２のＴＳ信号のいずれかを選択して出力することで機能が実現されてもよい。
【００３０】
実施形態の各構成要素の機能を実現するプログラム５４は、例えば、予め記憶装置５５やＲＯＭ５２やＲＡＭ５３に格納されており、必要に応じてＣＰＵ５１が読み出すように構成されてもよい。プログラム５４は、通信ネットワーク５９を介してＣＰＵ５１に供給されてもよいし、予め記録媒体５６に格納されており、ドライブ装置５７が当該プログラムを読み出してＣＰＵ５１に供給してもよい。
【００３１】
次に本実施形態の動作について説明する。図５は、第１の実施形態の伝送信号選択方法を示すフローチャートである。図５に示すように、まず、ＰＣＲ抽出部１１１において、第１の伝送路で伝送された第１のＴＳ信号が入力される（ステップＳ１）。次にＰＣＲ抽出部１１１が、第１のＴＳ信号から第１のＰＣＲパケットを抽出する（ステップＳ２）。次に品質情報検出部１１２が、第１のＰＣＲ区間ごとに、第１のＴＳ信号から、パケット誤りとパケット欠落状況に関連する品質情報を検出する。品質情報検出部１１２は、第１のＴＳ信号から検出したパケット誤りとパケット欠落状況に関連する品質情報を選択出力部１３に出力する（ステップＳ３）。
【００３２】
またＴＳ信号がＩＰ伝送路用に変換され第２の伝送路で伝送された第２のＴＳ信号がＰＣＲ抽出部１２１に入力される（ステップＳ４）。ＰＣＲ抽出部１２１が、第２のＴＳ信号から第２のＰＣＲパケットを抽出する（ステップＳ５）。次に品質情報検出部１２２が、第２のＰＣＲ区間ごとに、第２のＴＳ信号から、パケット誤りとパケット欠落状況に関連する品質情報を検出する。品質情報検出部１２２は、第２のＴＳ信号から検出したパケット誤りとパケット欠落状況に関連する品質情報を選択出力部１３に出力する（ステップＳ６）。
【００３３】
そして選択出力部１３は、対応するＰＣＲ区間の第１の品質情報及び対応する第２の品質情報が入力されると、ＰＣＲ区間ごとに、第１の品質情報及び対応する第２の品質情報に基づいて、第１のＴＳ信号と対応する第２のＴＳ信号のいずれか、パケット誤りとパケット欠落が少ない方を選択して受信装置１２０に出力する（ステップＳ７）。
【００３４】
ステップＳ７の選択出力部１３の動作について図２を参照して詳細に説明する。図２に示す例では、ＰＣＲパケット２０６とＰＣＲパケット２１１の間の区間とＰＣＲパケット２２１とＰＣＲパケット２２６の間の区間とが対応する。このため、選択出力部１３は、ＰＣＲパケット２０６とＰＣＲパケット２１１の間の区間について品質情報検出部１１２から出力された第１の品質情報と、ＰＣＲパケット２２１とＰＣＲパケット２２６の間の区間について品質情報検出部１２２から出力された第２の品質情報を比較する。例えば図２に示すように、ＰＣＲパケット２０６とＰＣＲパケット２１１の間の区間は欠落が少ないことが第１の品質情報に示され、ＰＣＲパケット２２１とＰＣＲパケット２２６の間の区間はパケット欠落が多いことが第２の品質情報に示されているとする。この場合、選択出力部１３は、パケット欠落が少ない第１のＴＳ信号、すなわち、ＰＣＲパケット２０６とＰＣＲパケット２１１の間に入力されたパケットを選択して、受信装置１２０に出力する。
【００３５】
次にＰＣＲパケット２１１とＰＣＲパケット２１６の間の区間とＰＣＲパケット２２６とＰＣＲパケット２３１の間の区間とが対応する。このため、選択出力部１３は、ＰＣＲパケット２１１とＰＣＲパケット２１６の間の区間について品質情報検出部１１２から出力された第１の品質情報と、ＰＣＲパケット２３１とＰＣＲパケット２３６の間の区間について品質情報検出部１２２から出力された第２の品質情報を比較する。例えば、図２に示すように、ＰＣＲパケット２２６とＰＣＲパケット２３１の間の区間は欠落が少ないことが第２の品質情報に示され、ＰＣＲパケット２１１とＰＣＲパケット２１６の間の区間はパケット欠落が多いことが第１の品質情報に示されているとする。この場合、選択出力部１３は、パケット欠落が少ない第２のＴＳ信号、すなわち、ＰＣＲパケット２２６とＰＣＲパケット２３１の間に入力されたパケットを選択して、受信装置１２０に出力する。
【００３６】
以上説明したように、第１の実施形態によれば、各伝送路で伝送されたＴＳ信号からＰＣＲパケットが抽出され、ＰＣＲパケット間の区間ごとに、各伝送路のパケット誤りとパケット欠落状況を示す品質情報に基づいてＴＳ信号が選択されて出力される。比較例として例えば特許文献２に記載されるようにＰＴＳを抽出して経路を切り替える構成を考えた場合、ＴＳ信号においてＰＴＳが伝送される間隔はＰＣＲパケットが伝送される間隔と比較すると間隔が広く、また間隔がまちまちである。したがってＰＴＳを抽出して経路を切り替える構成では、リアルタイムでの切り替えは困難である。一方、ＰＣＲパケットが伝送されるタイミングは、ほぼ一定の周期であり、最大でも１００ｍｓ間隔でＰＣＲパケットが伝送される。したがって第１の実施形態によれば、受信品質の状況に応じてリアルタイムに伝送信号を切り替えることが可能となる。
【００３７】
次に第２の実施形態について説明する。図６は、第２の実施形態の伝送信号選択装置の構成を示すブロック図である。図６に示すように、本実施形態の伝送信号選択装置２においては、品質情報検出部１１４は、ＣＣ（Ｃｏｎｔｉｎｕｉｔｙ  Ｃｏｕｎｔｅｒ：連続性指標）確認部１１４１、ＴＥＩ確認部１１４２を備えている点で異なる。また本実施形態の伝送信号選択装置２においては、品質情報検出部１２４は、ＣＣ確認部１２４１、ＴＥＩ確認部１２４２を備えている点で異なる。
【００３８】
なおＣＣは、ＭＰＥＧ２−ＴＳ標準規格においてＴＳパケットのヘッダに含まれることが規定されている情報であり、パケットＩＤごとに１ずつ繰り上げられる情報である。したがって同じパケットＩＤのパケットを抽出してＣＣの連続性をチェックすることにより、パケット欠落の有無を確認することができる。
【００３９】
ＣＣ確認部１１４１は、第１のＰＣＲ区間ごと、ＴＳパケット２００のヘッダ２００２に含まれるＣＣを参照して例えば映像パケットのＣＣの連続性（抜けがないこと）を検出し、ＣＣ確認結果（第１のＣＣ確認結果）を出力する。同様にＣＣ確認部１２４１は、第２のＰＣＲ区間ごと、ＴＳパケット２００のヘッダ２００２に含まれるＣＣを参照して例えば映像パケットのＣＣの連続性を検出し、ＣＣ確認結果（第２のＣＣ確認結果）を選択出力部１４に出力する。なおＣＣ確認部１１４１、１２４１は、ＰＣＲ区間のパケットにおいて、映像パケット以外のパケットのＣＣの連続性を検出してもよい。
【００４０】
またＴＥＩ確認部１１４２は、第１のＰＣＲ区間ごと、入力されるＴＳパケットのヘッダ２００２に含まれるＴＥＩを検出し、ＴＥＩ確認結果（第１のＴＥＩ確認結果）を品質情報として選択出力部１４に出力する。同様にＴＥＩ確認部１２４２は、第２のＰＣＲ区間ごと、入力されるＴＳパケット２００のヘッダ２００２に含まれるＴＥＩを検出し、ＴＥＩ確認結果（第２のＴＥＩ確認結果）を品質情報として選択出力部１４に出力する。
【００４１】
選択出力部１４の品質情報決定部１４１は、第１のＰＣＲ区間ごと、第１のＣＣ確認結果と第１のＴＥＩ確認結果から、伝送路１３０に関する総合的な品質情報を決定する。本実施形態の選択出力部１４は、図４に示すように、第１のＣＣ確認結果のような品質情報Ａと、第１のＴＥＩ確認結果のような品質情報Ｂの組合せに、第１の品質情報を対応させた品質判定テーブル１４２を備えてもよい。品質情報決定部１４１は、第１のＰＣＲ区間ごと、図４に示すような品質判定テーブル１４２を参照して伝送路１３０に関する総合的な品質情報を決定し、選択制御部１４４に出力してもよい。
【００４２】
同様に、品質情報決定部１４３は、第２のＰＣＲ区間ごと、第２のＣＣ確認結果と第２のＴＥＩ確認結果から、伝送路１４０に関する総合的な品質情報を決定する。品質情報決定部１４３は、第２のＰＣＲ区間ごと、図４に示すような品質判定テーブル１４２を参照してパケット誤りとパケット欠落状況に関連する第２の品質情報を決定し、選択制御部１４４に出力してもよい。
【００４３】
そして選択制御部１４４は、第１の実施形態と同様、対応するＰＣＲ区間の第１の品質情報及び第２の品質情報が入力されると、ＰＣＲ区間ごとに、第１の品質情報及び対応する第２の品質情報に基づいて、第１のＴＳ信号と対応する第２のＴＳ信号のいずれか、パケット誤りとパケット欠落が少ない方を選択して受信装置１２０に出力する。
【００４４】
次に本実施形態の動作について説明する。図７は、第２の実施形態の伝送信号選択方法を示すフローチャートである。図７に示すように、第１の実施形態と同様に、まず、ＰＣＲ抽出部１１１において、第１の伝送路１３０で伝送された第１のＴＳ信号が入力される（ステップＳ１）。次にＰＣＲ抽出部１１１が、第１のＴＳ信号から第１のＰＣＲパケットを抽出する（ステップＳ２）。
【００４５】
次に本実施形態では、ＴＥＩ確認部１１４２が、第１のＰＣＲ区間ごとに、第１のＴＳ信号から、パケット誤り状況に関連する品質情報としてＴＥＩを検出し、ＴＥＩ確認結果（第１のＴＥＩ確認結果）を品質情報（第１の品質情報）として選択出力部２３出力する（ステップＳ１１）。また本実施形態ではＣＣ確認部１１４１が、第１のＰＣＲ区間ごとに、第１のＴＳ信号から、パケット欠落状況に関連する品質情報として例えば映像パケットのＣＣの連続性を検出し、ＣＣ確認結果（第１のＣＣ確認結果）を選択出力部１４に出力する（ステップＳ１２）。そして選択出力部１４の品質情報決定部１４１が、第１のＴＥＩ確認結果及び第１のＣＣ確認結果に基づいて伝送路１３０に関する総合的な品質情報を決定し、選択制御部１４４に出力する（ステップＳ１３）。
【００４６】
またＰＣＲ抽出部１２１において、第１の実施形態と同様に、ＴＳ信号がＩＰ伝送路用に変換され第２の伝送路１４０で伝送された第２のＴＳ信号が入力される（ステップＳ４）。次にＰＣＲ抽出部１２１が、第２のＴＳ信号から第２のＰＣＲパケットを抽出する（ステップＳ５）。
【００４７】
次に本実施形態では、ＴＥＩ確認部１２４２が、第２のＰＣＲ区間ごとに、第２のＴＳ信号から、パケット誤り状況に関連する関連情報としてＴＥＩを検出し、ＴＥＩ確認結果（第２のＴＥＩ確認結果）を選択出力部１４に出力する（ステップＳ１４）。また本実施形態ではＣＣ確認部１２４１が、第２のＰＣＲ区間ごとに、第２のＴＳ信号から、パケット欠落状況に関連する品質情報として例えば映像パケットのＣＣの連続性を検出し、ＣＣ確認結果（第２のＣＣ確認結果）を選択出力部１４に出力する（ステップＳ１５）。そして選択出力部１４の品質情報決定部１４３が、第２のＴＥＩ確認結果及び第２のＣＣ確認結果に基づいて伝送路１４０に関する総合的な品質情報を決定し、選択制御部１４４に出力する（ステップＳ１６）。
【００４８】
対応するＰＣＲ区間の第１の品質情報及び対応する第２の品質情報が入力されると、選択制御部１４４は、第１の実施形態と同様、ＰＣＲ区間ごとに、第１の品質情報及び対応する第２の品質情報に基づいて、第１のＴＳ信号と対応する第２のＴＳ信号のいずれか、パケット誤りとパケット欠落が少ない方を選択して受信装置１２０に出力する（ステップＳ７）。
【００４９】
以上説明した第２の実施形態によっても、第１の実施形態と同様、各伝送路で伝送されたＴＳ信号からＰＣＲパケットが抽出され、ＰＣＲパケット間の区間ごとに、各伝送路のパケット誤りとパケット欠落状況を示す品質情報に基づいてＴＳ信号が選択されて出力される。この構成により、受信品質の状況に応じてリアルタイムに伝送信号に切り替えることが可能となる。
【００５０】
次に第３の実施形態について説明する。図８は、第３の実施形態の構成を示すブロック図である。図８に示すように、本実施形態の伝送信号選択装置３においては、品質情報検出部１１５が、ＰＣＲ間隔検出部１１５３を備え、同様に、品質情報検出部１２５が、ＰＣＲ間隔検出部１２５３を備えている点で第２の実施形態と異なる。ＰＣＲ間隔検出部１１５３は、ＰＣＲ抽出部１１１でＰＣＲパケットが抽出されたタイミングに基づいてＰＣＲ区間ごとに第１のＴＳ信号に含まれるパケット数（第１のＰＣＲ間隔）をカウントする。すなわちＰＣＲ間隔検出部１１５３は、パケット欠落状況に関連する品質情報として、第１のＴＳ信号の第１のＰＣＲ区間に含まれるパケット数（第１のＰＣＲ間隔）を検出する。同様に、ＰＣＲ間隔検出部１２５３は、ＰＣＲ抽出部１２１でＰＣＲパケットが抽出されたタイミングに基づいてＰＣＲ区間ごとに第２のＴＳ信号に含まれるパケット数（第２のＰＣＲ間隔）をカウントする。すなわちＰＣＲ間隔検出部１２５３は、パケット欠落状況に関連する品質情報として、第２のＴＳ信号の第２のＰＣＲ区間に含まれるパケット数（第２のＰＣＲ間隔）を検出する。
【００５１】
ＣＣ確認部１１５１は、第２の実施形態と同様、第１のＰＣＲ区間ごと、ＴＳパケット２００のヘッダ２００２に含まれるＣＣを参照して例えば映像パケットのＣＣの連続性を検出し、ＣＣ確認結果（第１のＣＣ確認結果）を品質情報として選択出力部１５に出力する。同様にＣＣ確認部１２５１は、第２の実施形態と同様、第１のＰＣＲ区間ごと、ＴＳパケット２００のヘッダ２００２に含まれるＣＣを参照して例えば映像パケットのＣＣの連続性を検出し、ＣＣ確認結果（第２のＣＣ確認結果）を品質情報として選択出力部１５に出力する。
【００５２】
またＴＥＩ確認部１１５２は、第２の実施形態と同様、第１のＰＣＲ区間ごと、入力されるＴＳパケット２００のヘッダ２００２に含まれるＴＥＩを参照し、ＴＥＩ確認結果（第１のＴＥＩ確認結果）を出力する。同様にＴＥＩ確認部１２５２は、第２の実施形態と同様、第２のＰＣＲ区間ごと、入力されるＴＳパケット２００のヘッダ２００２に含まれるＴＥＩを参照し、ＴＥＩ確認結果（第１のＴＥＩ確認結果）を出力する。
【００５３】
選択出力部１５の品質情報決定部１５１は、第１のＰＣＲ区間ごと、例えば映像パケットのＣＣの連続性と、ＴＥＩと、第１のＰＣＲ間隔のパケット数から、伝送路１３０に関する総合的な品質情報を決定する。選択出力部１５は、第２の実施形態と同様、例えば映像パケットのＣＣの連続性と、ＴＥＩと、第１のＰＣＲ間隔のパケット数の組合せと、総合的な品質情報を対応させた品質判定テーブル１５２を備えてもよい。品質情報決定部１５１は、第１のＰＣＲ区間ごと、例えばこのような品質判定テーブルを参照して伝送路１３０に関する総合的な品質情報を決定し、選択制御部１５４に出力する。
【００５４】
同様に、品質情報決定部１５３は、例えば映像パケットのＣＣの連続性と、ＴＥＩと、第２のＰＣＲ間隔のパケット数から、伝送路１４０に関する総合的な品質情報を決定する。品質情報決定部１５３は、第２のＰＣＲ区間ごと、例えばこのような品質判定テーブルを参照して伝送路１４０に関する総合的な品質情報を決定し、選択制御部１５４に出力する。
【００５５】
そして選択制御部１５４は、第１、第２の実施形態と同様、対応するＰＣＲ区間の品質情報が入力されると、ＰＣＲ区間ごとに、それぞれの品質情報に基づいて、第１のＴＳ信号と対応する第２のＴＳ信号のいずれか、パケット誤りとパケット欠落が少ない方を選択して受信装置１２０に出力する。
【００５６】
次に本実施形態の動作について説明する。図９は、第３の実施形態の伝送信号選択方法を示すフローチャートである。図７に示すように、第１、第２の実施形態と同様に、まず、ＰＣＲ抽出部１１１において、伝送路１３０で伝送された第１のＴＳ信号が入力される（ステップＳ１）。次にＰＣＲ抽出部１１１が、第１のＴＳ信号から第１のＰＣＲパケットを抽出する（ステップＳ２）。
【００５７】
次にＴＥＩ確認部１１５２が、第２の実施形態と同様、第１のＰＣＲ区間ごとに、第１のＴＳ信号から、ＴＥＩを検出し、パケット誤り状況に関連する品質情報としてＴＥＩ確認結果（第１のＴＥＩ確認結果）を選択出力部１５に出力する（ステップＳ１１）。またＣＣ確認部１１５１が、第２の実施形態と同様、第１のＰＣＲ区間ごとに、第１のＴＳ信号から、例えば映像パケットのＣＣの連続性（抜けがないか）を検出し、パケット欠落状況に関連する品質情報としてＣＣ確認結果（第１のＣＣ確認結果）を選択出力部１５に出力する（ステップＳ１２）。
【００５８】
また本実施形態では、ＰＣＲ間隔検出部１１５３が、パケット欠落状況に関連する品質情報として、第１のＴＳ信号の第１のＰＣＲ区間に含まれるパケット数（第１のＰＣＲ間隔）を検出する（ステップＳ２１）。そして選択出力部１５の品質情報決定部１５１が、第１のＴＥＩ確認結果、第１のＣＣ確認結果、及び、第１のＰＣＲ間隔に基づいて伝送路１３０に関する総合的な品質情報（第１の品質情報）を決定し、選択制御部１５４に出力する（ステップＳ２２）。
【００５９】
またＰＣＲ抽出部１２１においても、第１、第２の実施形態と同様に、伝送路１４０で伝送された第２のＴＳ信号が入力される（ステップＳ４）。次にＰＣＲ抽出部１２１が、第２のＴＳ信号から第２のＰＣＲパケットを抽出する（ステップＳ５）。
【００６０】
次にＴＥＩ確認部１２５２が、第２の実施形態と同様、第２のＰＣＲ区間ごとに、第２のＴＳ信号から、ＴＥＩを検出し、パケット誤り状況に関連する品質情報としてＴＥＩ確認結果（第２のＴＥＩ確認結果）を選択出力部１５に出力する（ステップＳ１４）。またＣＣ確認部１２５１が、第２の実施形態と同様、第２のＰＣＲ区間ごとに、第２のＴＳ信号から、例えば映像パケットのＣＣの連続性（抜けがないか）を検出し、パケット欠落状況に関連する品質情報としてＣＣ確認結果（第２のＣＣ確認結果）を選択出力部１５に出力する（ステップＳ１５）。
【００６１】
また本実施形態では、ＰＣＲ間隔検出部１２５３が、パケット欠落状況に関連する品質情報として、第２のＴＳ信号の第２のＰＣＲ区間に含まれるパケット数（第２のＰＣＲ間隔）を検出する（ステップＳ２３）。そして選択出力部１５の品質情報決定部１５３が、第２のＴＥＩ確認結果、第２のＣＣ確認結果、及び、第２のＰＣＲ間隔に基づいて伝送路１４０に関する総合的な品質情報（第２の品質情報）を決定し、選択制御部１５４に出力する（ステップＳ２４）。
【００６２】
第１の品質情報及び対応する第２の品質情報が入力されると、選択制御部１５４は、第１、第２の実施形態と同様、ＰＣＲ区間ごとに、第１の品質情報及び対応する第２の品質情報に基づいて、第１のＴＳ信号と対応する第２のＴＳ信号のいずれか、パケット誤りとパケット欠落が少ない方を選択して受信装置１２０に出力する（ステップＳ７）。
【００６３】
以上説明した第３の実施形態によっても、第１、第２の実施形態と同様、各伝送路で伝送されたＴＳ信号からＰＣＲパケットが抽出され、ＰＣＲパケット間の区間ごとに、各伝送路のパケット誤りとパケット欠落状況を示す品質情報に基づいてＴＳ信号が選択されて出力される。この構成により、受信品質の状況に応じてリアルタイムに伝送信号に切り替えることが可能となる。
【００６４】
なおＰＣＲ間隔検出部１１５３、１２５３は、第１及び第２のＰＣＲ間隔のパケット数をカウントすると共に、ＰＣＲパケットの連続性を検出してもよい。すなわちＰＣＲ間隔検出部１１５３は、ＰＣＲ抽出部１１１、１２１でＰＣＲパケットが抽出されるとＰＣＲパケットに含まれるＰＣＲ値をチェックし、ＰＣＲ値が許容範囲を有した一定量で増加しているか判断してＰＣＲパケットの連続性を検出してもよい。
【００６５】
この場合、品質情報決定部１５１は、第１のＰＣＲ区間ごと、例えば映像パケットのＣＣの連続性と、ＴＥＩと、第１のＰＣＲ間隔のパケット数と、第１のＰＣＲパケットの連続性から、伝送路１３０に関する総合的な品質情報を決定する。同様に、品質情報決定部１５２は、第２のＰＣＲ区間ごと、例えば映像パケットのＣＣの連続性と、ＴＥＩと、第２のＰＣＲ間隔のパケット数と、第２のＰＣＲパケットの連続性から、伝送路１４０に関する総合的な品質情報を決定する。
【００６６】
また品質判定テーブル１５２は、例えば映像パケットのＣＣの連続性と、ＴＥＩと、ＰＣＲ間隔のパケット数と、第１のＰＣＲパケットの連続性との組合せと、総合的な品質情報とを対応させた品質判定テーブルを備えてもよい。この場合、ステップＳ２１では、ＰＣＲ間隔検出部１１５３が、パケット欠落状況に関連する品質情報として、第１のＴＳ信号の第１のＰＣＲ区間に含まれるパケット数（第１のＰＣＲ間隔）及び第１のＰＣＲパケットの連続性（第１のＰＣＲ連続性）を検出する。そしてステップＳ２２では、選択出力部１５の品質情報決定部１５１が、第１のＴＥＩ確認結果、第１のＣＣ確認結果、第１のＰＣＲ間隔、及び第１のＰＣＲ連続性に基づいて伝送路１３０に関する総合的な品質情報（第１の品質情報）を決定し、選択制御部１５４に出力する。
【００６７】
同様にステップＳ２３では、ＰＣＲ間隔検出部１２５３が、パケット欠落状況に関連する品質情報として、第２のＴＳ信号の第２のＰＣＲ区間に含まれるパケット数（第２のＰＣＲ間隔）及び第２のＰＣＲパケットの連続性（第２のＰＣＲ連続性）を検出する。そしてステップＳ２４では、選択出力部１５の品質情報決定部１５３が、第２のＴＥＩ確認結果、第２のＣＣ確認結果、第２のＰＣＲ間隔、及び、第２のＰＣＲ連続性に基づいて伝送路１４０に関する総合的な品質情報（第２の品質情報）を決定し、選択制御部１５４に出力する。
【００６８】
このような構成によっても、第１、第２、第３の実施形態と同様、各伝送路で伝送されたＴＳ信号からＰＣＲパケットが抽出され、ＰＣＲパケット間の区間ごとに、各伝送路のパケット誤りとパケット欠落状況を示す品質情報に基づいてＴＳ信号が選択されて出力される。この構成により、受信品質の状況に応じてリアルタイムに伝送信号に切り替えることが可能となる。
【００６９】
なお上記の各実施形態は簡単のため送信装置から受信装置へＴＳ信号を伝送する伝送路が２つの伝送路により冗長化された例を挙げて説明しているが、これに限られない。本発明は、送信装置から受信装置へＴＳ信号を伝送する伝送路が、３つ以上の伝送路により冗長化された構成に適用されてもよい。
【００７０】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００７１】
１、２、３    伝送信号選択装置
１１１、１２１    ＰＣＲ抽出部
１１２、１１４、１１５、１２２、１２４、１２５    品質情報検出部
１１５１、１２５１    ＣＣ確認部
１１５２、１２５２    ＴＥＩ確認部
１１５３、１２５３    ＰＣＲ間隔検出部
１３、１４、１５    選択出力部
１４１、１４３、１５１、１５３    品質情報決定部
１４２、１５２    品質判定テーブル
１４４、１５４    選択制御部
１０１、１０２、１０３    伝送システム
１１０    送信装置
１２０    受信装置
１３０、１４０    伝送路
２００    ＴＳパケット
２０１、２０６、２１１、２１６    ＰＣＲパケット
２２１、２２６、２３１、２３６    ＰＣＲパケット
２０２、２０３、２０５、２０７、２０８    映像パケット
２０４、２０９、２１４    パケット
２２２、２２３、２２５、２２７、２２８    映像パケット
２２４、２２９、２３４    パケット
２００１    ペイロード
２００２    ヘッダ
２００３    パケットＩＤ
２００４    エラー情報
５０    コンピュータ
５１    ＣＰＵ
５２    ＲＯＭ
５３    ＲＡＭ
５４    プログラム
５５    記憶装置
５６    記録媒体
５７    ドライブ装置
５８    通信インタフェース
５９    通信ネットワーク
６０    入出力インタフェース
６１    バス
【図１】
2020170889.tif 000003
【図２】
2020170889.tif 000004
【図３】
2020170889.tif 000005
【図４】
2020170889.tif 000006
【図５】
2020170889.tif 000007
【図６】
2020170889.tif 000008
【図７】
2020170889.tif 000009
【図８】
2020170889.tif 000010
【図９】
2020170889.tif 000011
【図１０】
2020170889.tif 000012